(57)【要約】【課題】通信部に過電流が流れることを抑制できる、通信装置を提供する。【解決手段】ＡＳＩＣ３１のＣＰＵ３４が実行するＣＩ信号検出処理では、一対の第１接続線Ｗ１１，Ｗ１２が開放されている状態において、ＣＩ検出回路４５からＣＰＵ３４に、一対の第２接続線Ｗ２１，Ｗ２２に入力される信号を２値変換した信号であるＣＩ検出信号が入力されると、そのＣＩ検出信号の周波数が検出される。ＣＰＵ３４は、ＣＩ検出信号の周波数がＣＩ信号の周波数であると判断した場合、一対の第１接続線Ｗ１１，Ｗ１２の閉結をＤＡＡ４２に指示する。一方、ＣＰＵ３４は、ＣＩ検出回路４５から出力されるＣＩ検出信号の周波数がＣＩ信号の周波数とは異なる周波数である商用交流電源からの交流電圧の周波数またはその周波数の２倍の周波数であると判断した場合には、一対の第１接続線Ｗ１１，Ｗ１２の閉結をＤＡＡ４２に指示しない。【選択図】図２
2020109891.tif 000002
【特許請求の範囲】
【請求項１】
電話回線との接続箇所となる２つの端子を有する回線接続端子と、
前記２つの端子に接続される一対の第１接続線と、
前記一対の第１接続線によって接続され、前記一対の第１接続線の閉結及び開放を切り替え、前記一対の第１接続線を閉結させた状態において、前記電話回線に対して信号を送受する通信部と、
前記一対の第１接続線のうちの一方の第１接続線上に設けられる第１接点に一方が接続され、前記一対の第１接続線のうちの他方の第１接続線上に設けられる第２接点に他方が接続される一対の第２接続線と、
前記一対の第２接続線によって前記第１接点及び前記第２接点に接続され、前記一対の第１接続線の開放状態において前記２つの端子間に加わる電圧の変動成分を２値変換した信号を出力する信号出力部と、
前記通信部に前記一対の第１接続線の閉結又は開放を指示し、前記信号出力部から前記２値変換された信号が入力される制御部と、
を備え、
前記制御部は、
前記一対の第１接続線の開放を前記通信部に指示して、前記一対の第１接続線を開放させた状態において、前記２値変換された信号が入力されたことに応じて、前記２値変換された信号の周波数を検出する検出処理を実行し、
前記検出処理で検出した周波数が呼出信号の周波数であると判断した場合、前記一対の第１接続線の閉結を前記通信部に指示し、
前記検出処理で検出した周波数が前記呼出信号の周波数とは異なる商用電源の周波数、又は、前記商用電源の周波数の２倍周波数であると判断した場合、前記一対の第１接続線の閉結を前記通信部に指示せず、前記商用電源の周波数、又は、前記商用電源の周波数の２倍周波数であると判断しない状態になった後、前記検出処理を再び実行する、
ことを特徴とする通信装置。
【請求項２】
請求項１に記載の通信装置であって、
前記回線接続端子のうちの一方の端子と前記第１接点との間で前記一方の第１接続線に接続され、前記回線接続端子のうちの他方の端子と前記第２接点との間で前記他方の第１接続線に接続されたサージ保護素子と、
前記回線接続端子と前記サージ保護素子との間で前記一方の第１接続線上に設けられ、オンにより前記一方の第１接続線を導通させ、オフにより前記一方の第１接続線を非導通にさせる保護スイッチと、
を備え、
前記制御部は、
前記検出処理で検出した周波数が前記商用電源の周波数の２倍の周波数と判断した場合、前記保護スイッチをオフにする、
ことを特徴とする、通信装置。
【請求項３】
請求項２に記載の通信装置であって、
操作部、
を備え、
前記制御部は、
前記保護スイッチをオフにした後、前記操作部の操作によるエラー解除を受け付けたことに応じて、前記保護スイッチをオンにし、
前記保護スイッチをオンにした後、前記２倍の周波数を識別する状態が継続している場合、前記保護スイッチを再びオフにする、
ことを特徴とする、通信装置。
【請求項４】
請求項２または３に記載の通信装置であって、
前記制御部は、
前記保護スイッチをオフにした後、一定時間が経過したことに応じて、前記保護スイッチをオンにし、
前記保護スイッチをオンにした後、前記２倍の周波数を識別する状態が継続している場合、前記保護スイッチを再びオフにする、
ことを特徴とする、通信装置。
【請求項５】
請求項２〜４のいずれか一項に記載の通信装置であって、
前記商用電源の周波数は、５０Ｈｚまたは６０Ｈｚである、
ことを特徴とする、通信装置。
【請求項６】
請求項１〜５のいずれか一項に記載の通信装置であって、
記憶部と、
表示部と、
を備え、
前記制御部は、
前記検出処理で検出した周波数が前記呼出信号の周波数とは異なる周波数である場合、前記記憶部に設けられた混触フラグをオンにし、
前記呼出信号の周波数とは異なる周波数を識別しない状態になったことに応じて、前記混触フラグをオフにし、
前記混触フラグがオンである間、前記表示部にエラーを表示させる、
ことを特徴とする、通信装置。
【発明の詳細な説明】
【技術分野】
【０００１】
本発明は、電話回線を使用して通信を行う通信装置に関する。
【背景技術】
【０００２】
電話回線を使用して通信を行う通信装置では、何らかの故障により電話回線と商用電源との混触が起こる場合がある。
【０００３】
特許文献１に記載の通信装置では、モデムとＳＤＡＡ（Silicon Data Access Arrangement）とが絶縁素子回路部を介して接続され、制御部がモデムを介してＳＤＡＡを駆動することにより電話回線が捕捉される。電話回線の捕捉後、ＳＤＡＡによって、電話回線上の信号の電圧と周波数とが検出され、その検出された電圧と周波数とから電話回線に特定の高電圧が入力されているか否かが判断される。電話回線に高電圧が入力されている場合、電話回線が切断される。
【先行技術文献】
【特許文献】
【０００４】
【特許文献１】特開２０１７−３８１６６号公報
【発明の概要】
【発明が解決しようとする課題】
【０００５】
特許文献１に記載の通信装置は、ＳＤＡＡなどの通信部と絶縁されたモデム及び制御部を高電圧から保護することができる。しかしながら、通信部が電話回線を捕捉（本発明の「閉結」に相当）したうえで電話回線上の信号の電圧と周波数とが検出されるため、通信部に高電圧による過電流が流れること自体を抑制することはできない。
【０００６】
本発明の目的は、通信部に過電流が流れることを抑制できる、通信装置を提供することである。
【課題を解決するための手段】
【０００７】
前記の目的を達成するため、本発明に係る通信装置は、電話回線との接続箇所となる２つの端子を有する回線接続端子と、２つの端子に接続される一対の第１接続線と、一対の第１接続線によって接続され、一対の第１接続線の閉結及び開放を切り替え、一対の第１接続線を閉結させた状態において、電話回線に対して信号を送受する通信部と、一対の第１接続線のうちの一方の第１接続線上に設けられる第１接点に一方が接続され、一対の第１接続線のうちの他方の第１接続線上に設けられる第２接点に他方が接続される一対の第２接続線と、一対の第２接続線によって接続され、一対の第１接続線の開放状態において２つの端子間に加わる電圧の変動成分を２値変換した信号を出力する信号出力部と、通信部に一対の第１接続線の閉結又は開放を指示し、信号出力部から２値変換された信号が入力される制御部と、を備え、制御部は、一対の第１接続線の開放を通信部に指示して、一対の第１接続線を開放させた状態において、２値変換された信号が入力されたことに応じて、２値変換された信号の周波数を検出する検出処理を実行し、検出処理で検出した周波数が呼出信号の周波数であると判断した場合、一対の第１接続線の閉結を通信部に指示し、検出処理で検出した周波数が呼出信号の周波数とは異なる商用電源の周波数、又は、商用電源の周波数の２倍周波数であると判断した場合、一対の第１接続線の閉結を通信部に指示せず、商用電源の周波数、又は、商用電源の周波数の２倍周波数であると判断しない状態になった後、検出処理を再び実行する、ことを特徴とする通信装置。
【０００８】
この構成によれば、制御部が実行する検出処理では、通信部が一対の第１接続線を開放している状態において、信号出力部から制御部に２値変換された信号が入力されると、その２値変換された信号の周波数が検出される。
【０００９】
制御部は、検出処理で検出した周波数が呼出信号の周波数であると判断した場合、一対の第１接続線の閉結を通信部に指示する。
【００１０】
一方、制御部は、信号出力部から出力される信号の周波数が呼出信号の周波数とは異なる周波数である商用交流電源からの交流電圧の周波数またはその周波数の２倍の周波数であると判断した場合には、一対の第１接続線の閉結を指示せず、呼出信号の周波数とは異なる周波数を識別しない状態になってから、検出処理を再び実行する。これにより、電話回線と商用電源との混触が起こった場合に、通信部に高電圧による過電流が流れることを抑制でき、通信部を過電流から保護することができる。
【発明の効果】
【００１１】
本発明によれば、通信部を高電圧による過電流から保護することができる。
【図面の簡単な説明】
【００１２】
【図１】本発明の一実施形態に係るＭＦＰの全体構成を示すブロック図である。
【図２】ＭＦＰのＦＡＸ通信部の構成を示す図である。
【図３】ＣＩ検出回路の構成を示す図である。
【図４Ａ】ＣＩ信号が入力された場合のＣＩ検出信号の時間変化の一例を示す図である。
【図４Ｂ】サージ保護電圧以下の交流電圧が入力された場合のＣＩ検出信号の時間変化の一例を示す図である。
【図４Ｃ】サージ保護電圧を超える交流電圧が入力された場合のＣＩ検出信号の時間変化の一例を示す図である。
【図５】メイン処理の流れを示すフローチャートである。
【図６】ＣＩ信号検出処理の流れを示すフローチャートである。
【図７】混触報知処理の流れを示すフローチャートである。
【図８】ＮＣＵタイプのＦＡＸ通信部の構成を示す図である。
【発明を実施するための形態】
【００１３】
以下では、本発明の実施の形態について、添付図面を参照しつつ詳細に説明する。
【００１４】
＜全体構成＞
図１に示されるＭＦＰ（Multi-Function Peripheral）１は、通信装置の一例であり、プリント機能、スキャン機能及びファックス機能などの複数の機能を有している。ＭＦＰ１は、画像形成部１１、画像読取部１２、ＦＡＸ通信部１３、表示部１４、操作部１５、電源部１６、ＬＡＮインタフェース（Ｉ／Ｆ）１７及びＵＳＢインタフェース（Ｉ／Ｆ）１８を備えている。
【００１５】
画像形成部１１は、ＭＦＰ１内の搬送路を１枚ずつ搬送されるシートに対して画像データに係る画像（カラー画像またはモノクロ画像）を形成する。画像形成の方式は、電子写真方式であってもよいし、インクジェット方式であってもよい。
【００１６】
画像読取部１２は、シートに形成された画像を読み取り、画像データを出力する。画像読取の方式は、たとえば、ＣＩＳ（Contact Image Sensor）方式である。
【００１７】
ＦＡＸ通信部１３は、回線接続端子２１に接続される。回線接続端子２１には、電話回線２２（図２参照）が接続される。電話回線２２には、公衆電話回線及び公衆電話回線と異なる電話回線であるＰＢＸ（Private Branch eXchange／構内交換機）の回線が含まれる。ＦＡＸ通信部１３は、電話回線２２を介して交換機に接続されることにより、相手先のファックス装置から画像データを受信可能となり、また、相手先のファックス装置に対して画像データを送信可能となる。
【００１８】
表示部１４は、たとえば、液晶表示器からなる。表示部１４には、各種の情報が表示される。
【００１９】
操作部１５は、操作キー（たとえば、スタートキー、テンキー、カーソルキー、戻るキー）を備えている。操作キーの操作により、各種の指示などを操作部１５に入力することが可能である。なお、操作部１５は、表示部１４に一体的に設けられるタッチキーであってもよい。
【００２０】
電源部１６は、商用交流電源に接続されて、商用交流電源から供給される電力を各部に適した電力に変換して各部に供給する。
【００２１】
ＬＡＮインタフェース１７は、外部機器（図示せず）とのＬＡＮ（Local Area Network）接続のためのインタフェースである。ＬＡＮインタフェース１７には、ＬＡＮケーブルを接続可能な端子（図示せず）が設けられている。ＬＡＮインタフェース１７は、その端子に接続されたＬＡＮケーブルを介してＬＡＮに接続され、ＬＡＮに接続された外部機器との間で画像データや制御命令などを送受信する。
【００２２】
ＵＳＢインタフェース１８は、ＵＳＢメモリやコンピュータなどの外部機器（図示せず）とのＵＳＢ接続のためのインタフェースである。ＵＳＢインタフェース１８には、ＵＳＢ端子が設けられている。ＵＳＢインタフェース１８は、ＵＳＢ端子に接続された外部機器との間で画像データや制御命令などを送受信する。
【００２３】
また、ＭＦＰ１は、ＡＳＩＣ（Application Specific Integrated Circuit）３１、ＲＯＭ３２及びＲＡＭ３３を備えている。ＡＳＩＣ３１には、画像形成部１１、画像読取部１２、ＦＡＸ通信部１３、表示部１４、操作部１５、電源部１６、ＬＡＮインタフェース１７、ＵＳＢインタフェース１８、ＲＯＭ３２及びＲＡＭ３３が電気的に接続されている。
【００２４】
ＡＳＩＣ３１は、ＣＰＵ３４（制御部の一例）を内蔵している。ＣＰＵ３４は、ＡＳＩＣ３１に入力される情報に基づいて、各種の処理のためのプログラムを実行することにより、画像形成部１１、画像読取部１２及びＦＡＸ通信部１３などの各部を制御する。
【００２５】
ＲＯＭ３２には、ＣＰＵ３４によって実行されるプログラム及び各種のデータなどが記憶されている。
【００２６】
ＲＡＭ３３は、ＣＰＵ３４がプログラムを実行する際のワークエリアとして使用される。また、ＲＡＭ３３には、画像形成部１１によりシートに形成される画像の画像データ、画像読取部１２により読み取られた画像データ、ならびにＦＡＸ通信部１３、ＬＡＮインタフェース１７及びＵＳＢインタフェース１８が受信した画像データなどが一時的に記憶される。
【００２７】
＜ＦＡＸ通信部＞
ＦＡＸ通信部１３は、図２に示されるように、直流捕捉回路４１、ＤＡＡ（Data Access Arrangement／データアクセスアレンジメント）４２及びＤＡＡ４２とトランス４３を介して接続されるモデム４４（以上、通信部の一例）を備えている。
【００２８】
ＦＡＸ通信部１３と電気的に接続される回線接続端子２１には、一対の第１接続線Ｗ１１，Ｗ１２が接続されている。具体的には、回線接続端子２１は、モジュラジャックであり、電話回線２２と接続可能な２つの端子２１Ａ，２１Ｂを有している。端子２１Ａには、一方の第１接続線Ｗ１１の一端が接続されている。端子２１Ｂには、他方の第１接続線Ｗ１２の一端が接続されている。
【００２９】
直流捕捉回路４１は、第１接続線Ｗ１１上におけるＦＡＸ通信部１３内に設けられた接点Ｎ１と、第１接続線Ｗ１２上におけるＦＡＸ通信部１３内に設けられた接点Ｎ２とに接続されている。直流捕捉回路４１は、接点Ｎ１と接点Ｎ２との間にスイッチ（図示せず）を備えている。このスイッチがオンの状態で、一対の第１接続線Ｗ１１，Ｗ１２間が閉結され、電話回線２２に接続されている交換機と直流捕捉回路４１との間で閉回路が形成される。言い換えれば、直流捕捉回路４１のスイッチがオンの状態で、ＦＡＸ通信部１３に電話回線２２が捕捉される。直流捕捉回路４１のスイッチがオフの状態で、一対の第１接続線Ｗ１１，Ｗ１２間が開放される。
【００３０】
ＤＡＡ４２は、直流捕捉回路４１のスイッチのオン及びオフを切り替えることにより、一対の第１接続線Ｗ１１，Ｗ１２間の開放及び閉結を制御する。また、ＤＡＡ４２は、直流捕捉回路４１のスイッチがオンであり、一対の第１接続線Ｗ１１，Ｗ１２間が閉結されている状態で、相手先のファックス装置から送信される画像データなどのＦＡＸ信号を受信する。さらに、ＤＡＡ４２は、直流捕捉回路４１のスイッチがオンであり、一対の第１接続線Ｗ１１，Ｗ１２間が閉結されている状態で、相手先のファックス装置に画像データなどのＦＡＸ信号を送信する。
【００３１】
モデム４４は、ＤＡＡ４２からトランス４３を介して受信信号を受け取り、復調してＡＳＩＣ３１に入力する。また、モデム４４は、ＡＳＩＣ３１から受け取る送信信号を変調し、トランス４３を介してＤＡＡ４２に送信する。
【００３２】
また、ＦＡＸ通信部１３は、ＣＩ検出回路４５を備えている。第１接続線Ｗ１１上には、回線接続端子２１の端子２１Ａと接点Ｎ１との間に、接点Ｎ３（第１接点の一例）が設けられている。また、第１接続線Ｗ１２上には、回線接続端子２１の端子２１Ｂと接点Ｎ２との間に、接点Ｎ４（第２接点の一例）が設けられている。接点Ｎ３には、一対の第２接続線Ｗ２１，Ｗ２２のうちの一方の第２接続線Ｗ２１が接続され、接点Ｎ４には、その他方の第２接続線Ｗ２２が接続されている。ＣＩ検出回路４５は、一対の第２接続線Ｗ２１，Ｗ２２によって、接点Ｎ３，Ｎ４に接続されている。ＣＩ検出回路４５の構成及び動作については、後述する。
【００３３】
ＦＡＸ通信部１３は、さらに、サージ保護素子４６（サージ保護素子の一例）及び保護リレー４７（保護スイッチの一例）を備えている。
【００３４】
サージ保護素子４６は、第１接続線Ｗ１１上における回線接続端子２１の端子２１Ａと接点Ｎ３との間に設けられる接点Ｎ５と、第１接続線Ｗ１２上における回線接続端子２１の端子２１Ｂと接点Ｎ４との間に設けられる接点Ｎ６とに接続されている。サージ保護素子４６は、接点Ｎ５と接点Ｎ６との間に所定のサージ保護電圧（たとえば、３０００Ｖ）を超える電圧が加わると短絡する。
【００３５】
保護リレー４７は、第１接続線Ｗ１１上における回線接続端子２１の端子２１Ａと接点Ｎ５との間に設けられている。保護リレー４７がオンの状態では、第１接続線Ｗ１１が導通し、保護リレー４７がオフの状態では、第１接続線Ｗ１１が切断されて、接点Ｎ５が回線接続端子２１の端子２１Ａとが切り離される。
【００３６】
＜ＣＩ検出回路＞
ＣＩ検出回路４５と接点Ｎ３とを接続する第２接続線Ｗ２１上には、コンデンサ５１が設けられている。また、一対の第２接続線Ｗ２１，Ｗ２２間に、図３に示されるように、ダイオード５２が設けられている。ダイオード５２のカソードは、ＣＩ検出回路４５とコンデンサ５１との間において第２接続線Ｗ２１に接続され、ダイオード５２のアノードは、第２接続線Ｗ２２に接続されている。
【００３７】
ＣＩ検出回路４５は、フォトカプラ５３及び抵抗５４を備えている。
【００３８】
フォトカプラ５３の発光ダイオード５５は、一対の第２接続線Ｗ２１，Ｗ２２間に設けられている。発光ダイオード５５のアノードは、第２接続線Ｗ２１に接続され、発光ダイオード５５のカソードは、第２接続線Ｗ２２に接続されている。フォトカプラ５３のフォトトランジスタ５６のコレクタは、ＡＳＩＣ３１の入力端子に接続されている。フォトトランジスタ５６のエミッタは、接地されている。
【００３９】
抵抗５４の一端には、電源部１６（図１参照）から３．３Ｖの電圧が供給される。抵抗５４の他端は、フォトカプラ５３のフォトトランジスタ５６のコレクタに接続されている。
【００４０】
交換機から電話回線２２に送出されるＣＩ信号（呼出信号の一例）は、回線電圧に変動成分を重畳させた信号である。ＣＩ信号が回線接続端子２１の２つの端子２１Ａ，２１Ｂを介して一対の第１接続線Ｗ１１，Ｗ１２に入り、一対の第１接続線Ｗ１１，Ｗ１２から一対の第２接続線Ｗ２１，Ｗ２２にＣＩ信号が入ると、コンデンサ５１により、ＣＩ信号から回線電圧に重畳されている変動成分が抽出される。コンデンサ５１により正方向の変動成分が抽出されている期間、その変動成分によりフォトカプラ５３の発光ダイオード５５が発光して、フォトカプラ５３のフォトトランジスタ５６がオンになる。このとき、図４Ａに示されるように、ＡＳＩＣ３１の入力端子に入力されるＣＩ検出信号のレベルがローレベルとなる。コンデンサ５１により負方向の変動成分が抽出されている期間は、その変動成分によりダイオード５２がオンになるため、フォトカプラ５３の発光ダイオード５５が発光せず、フォトカプラ５３のフォトトランジスタ５６がオフになる。このとき、ＡＳＩＣ３１の入力端子に入力されるＣＩ検出信号のレベルがハイレベルとなる。
【００４１】
たとえば、何らかの故障が原因で電話回線２２と商用交流電源との混触が起こり、商用交流電源からの交流電圧が回線接続端子２１の２つの端子２１Ａ，２１Ｂ間に加わった場合であって、その交流電圧がサージ保護素子４６のサージ保護電圧以下である場合、一対の第２接続線Ｗ２１，Ｗ２２に交流電圧が入力信号として入力される。交流電圧の値が正である期間、フォトカプラ５３の発光ダイオード５５が発光して、フォトカプラ５３のフォトトランジスタ５６がオンになる。このとき、図４Ｂに示されるように、ＡＳＩＣ３１の入力端子に入力されるＣＩ検出信号のレベルがローレベルとなる。交流電圧の値が負である期間は、フォトカプラ５３の発光ダイオード５５が発光せず、フォトカプラ５３のフォトトランジスタ５６がオフになる。このとき、ＡＳＩＣ３１の入力端子に入力されるＣＩ検出信号のレベルがハイレベルとなる。
【００４２】
また、商用交流電源からの交流電圧が回線接続端子２１の２つの端子２１Ａ，２１Ｂ間に加わった場合であって、その交流電圧の最大値がサージ保護素子４６のサージ保護電圧を超える場合、交流電圧がサージ保護電圧を超える期間、サージ保護素子４６が短絡する。これにより、一対の第２接続線Ｗ２１，Ｗ２２に入力される交流電圧の波形は、図４Ｃに示されるように、交流電圧の波形からサージ保護素子４６が短絡している期間の波形がカットされた波形の信号が入力される。この場合においても、サージ保護電圧以下の交流電圧が回線接続端子２１の２つの端子２１Ａ，２１Ｂ間に加わった場合と同様に、交流電圧の値が正である期間、ＡＳＩＣ３１の入力端子に入力されるＣＩ検出信号のレベルがローレベルとなり、交流電圧の値が負である期間は、フォトカプラ５３の発光ダイオード５５が発光せず、フォトカプラ５３のフォトトランジスタ５６がオフになり、ＡＳＩＣ３１の入力端子に入力されるＣＩ検出信号のレベルがハイレベルとなる。しかしながら、サージ保護素子４６が短絡している期間も、フォトカプラ５３の発光ダイオード５５が発光せず、フォトカプラ５３のフォトトランジスタ５６がオフになり、ＡＳＩＣ３１の入力端子に入力されるＣＩ検出信号のレベルがハイレベルとなる。そのため、ＣＩ検出信号の周波数は、サージ保護電圧以下の交流電圧が回線接続端子２１の２つの端子２１Ａ，２１Ｂ間に加わった場合のＣＩ検出信号の周波数の２倍となる。
【００４３】
このように、ＣＩ検出信号は、一対の第２接続線Ｗ２１，Ｗ２２に入力される信号を２値変換した信号となる。ＡＳＩＣ３１は、ＣＩ検出回路４５からＣＩ検出信号が入力されたことに応じて、ＣＩ検出信号の周波数を検出する。
【００４４】
＜メイン処理＞
ＭＦＰ１では、ＦＡＸ通信部１３による通信が行われていない待機状態において、ＡＳＩＣ３１のＣＰＵ３４により、図５に示されるメイン処理が実行される。待機状態では、ＦＡＸ通信部１３の直流捕捉回路４１のスイッチがオフにされ、一対の第１接続線Ｗ１１，Ｗ１２間が開放されている（Ｓ１１：回線開放）。また、ＲＡＭ３３に設定されている混触フラグがオフにされている（Ｓ１２）。混触フラグは、電話回線２２と商用交流電源との混触が発生しているか否かを表すフラグである。混触フラグのオンは、電話回線２２と商用交流電源との混触が発生していることを表し、混触フラグのオフは、電話回線２２と商用交流電源との混触が発生していないことを表す。待機状態では、保護リレー４７がオンの状態になっている（Ｓ１３）。
【００４５】
待機状態において、ＣＰＵ３４は、ＣＩ検出回路４５からＡＳＩＣ３１にＣＩ検出信号のパルスが入力されたか否かを判断する（Ｓ１４）。
【００４６】
ＣＩ検出回路４５からＣＩ検出信号が出力されておらず、ＣＰＵ３４は、ＡＳＩＣ３１にＣＩ検出信号のパルスが入力されていないと判断した場合（Ｓ１４：ＮＯ）、操作部１５またはＬＡＮインタフェース１７にＬＡＮを介して接続された外部機器からのＦＡＸ送信指示が入力されたか否かを判断する（Ｓ１５）。ＣＰＵ３４は、ＦＡＸ送信指示が入力されていないと判断した場合（Ｓ１５：ＮＯ）、ＡＳＩＣ３１にＣＩ検出信号のパルスが入力されたか否かを再び判断する（Ｓ１４）。
【００４７】
操作部１５または外部機器からＬＡＮ経由でＬＡＮインタフェース１７にＦＡＸ送信指示が受け付けられ、そのＦＡＸ送信指示がＡＳＩＣ３１に入力されると、ＣＰＵ３４は、ＦＡＸ送信指示が入力されたと判断し（Ｓ１５：ＹＥＳ）、混触フラグがオフであるか否かを判断する（Ｓ１６）。混触フラグがオフである場合（Ｓ１６：ＹＥＳ）、ＣＰＵ３４は、モデム４４を介して、ＤＡＡ４２に電話回線２２の閉結、つまり一対の第１接続線Ｗ１１，Ｗ１２間の閉結を指示する（Ｓ１７）。ＤＡＡ４２は、その閉結の指示を受けて、直流捕捉回路４１のスイッチをオンし、一対の第１接続線Ｗ１１，Ｗ１２間を閉結させる。その後、ＣＰＵ３４は、送信処理を実行する（Ｓ１８）。送信処理では、ＣＰＵ３４は、モデム４４を介して、ＤＡＡ４２にＦＡＸ送信の準備を指示し、ＦＡＸ送信の準備完了後、モデム４４を介して、相手先のファックス装置への画像データの送信をＤＡＡ４２に指示する。すべての画像データが送信されると、ＣＰＵ３４は、モデム４４を介して、ＤＡＡ４２に一対の第１接続線Ｗ１１，Ｗ１２間の開放を指示して、メイン処理を終了する。その開放の指示に従って、ＤＡＡ４２が直流捕捉回路４１のスイッチをオフにし、一対の第１接続線Ｗ１１，Ｗ１２間が開放すると、ＭＦＰ１の状態が待機状態に戻る。
【００４８】
ＦＡＸ送信指示がＡＳＩＣ３１に入力されても、混触フラグがオンである場合（Ｓ１６：ＮＯ）、ＣＰＵ３４は、ＡＳＩＣ３１にＣＩ検出信号のパルスが入力されたか否かを再び判断する（Ｓ１４）。
【００４９】
一方、ＣＩ検出回路４５からＣＩ検出信号が出力されて、ＣＰＵ３４は、ＡＳＩＣ３１にＣＩ検出信号のパルスが入力されたと判断した場合（Ｓ１４：ＹＥＳ）、ＣＩ信号検出処理を実行する（Ｓ１９）。ＣＩ信号検出処理は、ＣＩ検出回路４５からＡＳＩＣ３１に入力されるＣＩ検出信号からＣＩ信号を検出する処理であり、その詳細については後述する。
【００５０】
ＣＰＵ３４は、ＣＩ信号検出処理でＣＩ信号を検出したか否かを判断する（Ｓ２０）。そして、ＣＰＵ３４は、ＣＩ信号を検出したと判断した場合（Ｓ２０：ＹＥＳ）、混触フラグがオフであるか否かを判断する（Ｓ２１）。混触フラグがオフである場合（Ｓ２１：ＹＥＳ）、ＣＰＵ３４は、モデム４４を介して、ＤＡＡ４２に電話回線２２の閉結、つまり一対の第１接続線Ｗ１１，Ｗ１２間の閉結を指示する（Ｓ２２）。ＤＡＡ４２は、その閉結の指示を受けて、直流捕捉回路４１のスイッチをオンし、一対の第１接続線Ｗ１１，Ｗ１２間を閉結させる。その後、ＣＰＵ３４は、受信処理を実行する（Ｓ２３）。受信処理では、ＣＰＵ３４は、モデム４４を介して、ＤＡＡ４２にＦＡＸ受信の準備を指示し、ＦＡＸ受信の準備完了後、モデム４４を介して、相手先のファックス装置から送信される画像データの受信をＤＡＡ４２に指示する。すべての画像データを受信すると、ＣＰＵ３４は、モデム４４を介して、ＤＡＡ４２に一対の第１接続線Ｗ１１，Ｗ１２間の開放を指示して、メイン処理を終了する。その開放の指示に従って、ＤＡＡ４２が直流捕捉回路４１のスイッチをオフにし、一対の第１接続線Ｗ１１，Ｗ１２間が開放すると、ＭＦＰ１の状態が待機状態に戻る。
【００５１】
ＣＩ信号検出処理でＣＩ信号が検出されても、混触フラグがオンである場合（Ｓ２１：ＮＯ）、ＣＰＵ３４は、ＡＳＩＣ３１にＣＩ検出信号のパルスが入力されたか否かを再び判断する（Ｓ１４）。
【００５２】
＜ＣＩ信号検出処理＞
メイン処理のステップＳ１９で実行されるＣＩ信号検出処理の流れは、図６に示されている。
【００５３】
ＣＩ信号検出処理の開始時に、ＡＳＩＣ３１のＣＰＵ３４は、ＣＩ検出回路４５からＡＳＩＣ３１に入力されたＣＩ検出信号の周波数を検出する。そして、ＣＰＵ３４は、ＣＩ検出信号の周波数がＣＩ信号の周波数（たとえば、１６Ｈｚ）であるか否かを判断する（Ｓ１９１）。ＣＩ検出信号の周波数がＣＩ信号の周波数である場合（Ｓ１９１：ＹＥＳ）、ＣＰＵ３４は、ＣＩ信号を検出したと判断し、ＣＩ信号検出処理を終了して、メイン処理に戻る。
【００５４】
一方、ＣＰＵ３４は、ＣＩ検出信号の周波数がＣＩ信号の周波数ではないと判断した場合（Ｓ１９１：ＮＯ）、ＣＩ検出信号の周波数が５０Ｈｚまたは６０Ｈｚであるか否かを判断する（Ｓ１９２）。５０Ｈｚまたは６０Ｈｚは、商用交流電源からの交流電圧の周波数である。ＣＩ検出信号の周波数が５０Ｈｚまたは６０Ｈｚである場合、何らかの故障が原因で電話回線２２と商用交流電源との混触が起こり、商用交流電源からの交流電圧が回線接続端子２１の２つの端子２１Ａ，２１Ｂ間に加わったと考えられる。そこで、ＣＰＵ３４は、ＣＩ検出信号の周波数が５０Ｈｚまたは６０Ｈｚであると判断した場合（Ｓ１９２：ＹＥＳ）、混触フラグをオンにして（Ｓ１９３）、ＣＩ信号検出処理を終了し、メイン処理に戻る。
【００５５】
ＣＰＵ３４は、ＣＩ検出信号の周波数が５０Ｈｚまたは６０Ｈｚではないと判断した場合（Ｓ１９２：ＮＯ）、ＣＩ検出信号の周波数が商用交流電源からの交流電圧の周波数の２倍の周波数である１００Ｈｚまたは１２０Ｈｚであるか否かを判断する（Ｓ１９４）。ＣＩ検出信号の周波数が１００Ｈｚまたは１２０Ｈｚである場合、商用交流電源からの交流電圧が回線接続端子２１の２つの端子２１Ａ，２１Ｂ間に加わった場合であって、その交流電圧の最大値がサージ保護素子４６のサージ保護電圧を超えていると考えられる。そこで、ＣＰＵ３４は、ＣＩ検出信号の周波数が１００Ｈｚまたは１２０Ｈｚであると判断した場合（Ｓ１９４：ＹＥＳ）、混触フラグをオンにする（Ｓ１９５）。また、保護リレー４７をオフにする（Ｓ１９６）。これにより、サージ保護素子４６を高電圧による過電流から保護することができ、過電流によるサージ保護素子４６の破壊を抑制することができる。その後、ＣＰＵ３４は、ＣＩ信号検出処理を終了して、メイン処理に戻る。
【００５６】
＜混触報知処理＞
ＭＦＰ１では、ＡＳＩＣ３１のＣＰＵ３４により、図７に示される混触報知処理が所定の周期で実行される。
【００５７】
混触報知処理では、ＣＰＵ３４は、まず、混触フラグがオンであるか否かを判断する（Ｓ３１）。混触フラグがオフである場合（Ｓ３１：ＮＯ）、ＣＰＵ３４は、混触報知処理を次のステップＳ３２に進めない。混触フラグがオンである場合（Ｓ３１：ＹＥＳ）、ＣＰＵ３４は、混触報知処理を次のステップＳ３２に進める。すなわち、ＣＰＵ３４は、ＣＩ信号検出処理のステップＳ１９３，Ｓ１９５で混触フラグがオンにすると、混触報知処理を次のステップＳ３２に進める。
【００５８】
ステップＳ３２では、ＣＰＵ３４は、電話回線２２と商用交流電源との混触によるエラーが発生している旨を表示部１４（図１参照）に表示させる（Ｓ３２）。この表示により、ＭＦＰ１のユーザは、混触が生じていることを知ることができ、ＭＦＰ１のメーカまたは販売店のサービスマンに修理を依頼することができる。
【００５９】
その後、ユーザまたはサービスマンなどが操作部１５（図１参照）を操作することにより、混触エラーの表示を解除させると、ＣＰＵ３４は、混触エラーの表示が解除されたと判断し（Ｓ３３：ＹＥＳ）、保護リレー４７がオフであるか否かを判断する（Ｓ３４）。保護リレー４７がオフである場合（Ｓ３４：ＹＥＳ）、ＣＰＵ３４は、保護リレー４７をオンにする（Ｓ３５）。
【００６０】
保護リレー４７のオン後、ＣＰＵ３４は、ＣＩ検出回路４５からＡＳＩＣ３１に入力されたＣＩ検出信号の周波数を再び検出し、そのＣＩ検出信号の周波数が５０Ｈｚまたは６０Ｈｚであるか否かを判断する（Ｓ３６）。ＣＰＵ３４は、ＣＩ検出信号の周波数が５０Ｈｚまたは６０Ｈｚではないと判断した場合（Ｓ３６：ＮＯ）、ＣＩ検出信号の周波数が１００Ｈｚまたは１２０Ｈｚであるか否かを判断する（Ｓ３７）。
【００６１】
ＣＩ検出信号の周波数が５０Ｈｚまたは６０Ｈｚでも１００Ｈｚまたは１２０Ｈｚでもなければ（Ｓ３７：ＮＯ）、混触が解消されていると考えられ、この場合、ＣＰＵ３４は、混触フラグをオンからオフに切り替えて（Ｓ３８）、混触報知処理を終了する。
【００６２】
一方、ＣＰＵ３４は、ＣＩ検出信号の周波数が５０Ｈｚまたは６０Ｈｚであると判断した場合（Ｓ３６：ＹＥＳ）、「混触が直っていません」といったようなメッセージを表示部１４に表示させる（Ｓ３９）。また、ＣＰＵ３４は、ＣＩ検出信号の周波数が１００Ｈｚまたは１２０Ｈｚであると判断した場合には（Ｓ３７：ＹＥＳ）、保護リレー４７をオフからオンに切り替えた後（Ｓ４０）、「混触が直っていません」といったようなメッセージを表示部１４に表示させる（Ｓ３９）。メッセージの表示後、ＣＰＵ３４は、混触エラーを表示部１４に再び表示させる（Ｓ３２）。
【００６３】
また、ＣＰＵ３４は、混触エラーの表示中、定期的なタイミングが到来したか否かを判断する（Ｓ４１）。そして、操作部１５の操作による混触エラーの表示の解除が行われなくても（Ｓ３３：ＮＯ）、ＣＰＵ３４は、定期的なタイミングが到来したと判断した場合（Ｓ４１：ＹＥＳ）、保護リレー４７がオフであるか否かを判断し（Ｓ３４）、保護リレー４７がオフであれば（Ｓ３４：ＹＥＳ）、保護リレー４７をオンにする。そして、前述のステップＳ３６以降の処理を実行する。
【００６４】
＜作用効果＞
以上のように、ＡＳＩＣ３１のＣＰＵ３４が実行するＣＩ信号検出処理では、一対の第１接続線Ｗ１１，Ｗ１２が開放されている状態において、ＣＩ検出回路４５からＣＰＵ３４に、一対の第２接続線Ｗ２１，Ｗ２２に入力される信号を２値変換した信号であるＣＩ検出信号が入力されると、そのＣＩ検出信号の周波数が検出される。
【００６５】
ＣＰＵ３４は、ＣＩ検出信号の周波数がＣＩ信号の周波数であると判断した場合、一対の第１接続線Ｗ１１，Ｗ１２の閉結をＤＡＡ４２に指示する。
【００６６】
一方、ＣＰＵ３４は、ＣＩ検出回路４５から出力されるＣＩ検出信号の周波数がＣＩ信号の周波数とは異なる周波数である商用交流電源からの交流電圧の周波数またはその周波数の２倍の周波数であると判断した場合には、一対の第１接続線Ｗ１１，Ｗ１２の閉結をＤＡＡ４２に指示しない。この場合、ＣＰＵ３４は、ＣＩ検出信号の周波数がＣＩ信号の周波数とは異なる周波数であると判断しない状態になると、ＣＩ信号検出処理を再び実行する。これにより、電話回線２２と商用交流電源との混触が起こった場合に、ＤＡＡ４２に高電圧による過電流が流れることを抑制でき、ＤＡＡ４２を過電流から保護することができる。
【００６７】
ＣＰＵ３４は、ＣＩ検出信号の周波数が商用交流電源からの交流電圧の周波数またはその周波数の２倍の周波数であると判断した場合、ＲＡＭ３３に設定されている混触フラグをオフからオンに切り替える。混触フラグは、混触が生じている間オンにされ、混触が解消されるとオンからオフに切り替えられるフラグである。ＣＰＵ３４は、混触フラグがオンである間、混触によるエラーが発生している旨を表示部１４に表示させる。この表示により、ＭＦＰ１のユーザに混触が生じていることを知らせることができる。
【００６８】
また、サージ保護素子４６が第１接続線Ｗ１１上の接点Ｎ５と第１接続線Ｗ１２上の接点Ｎ６とに接続されている。第１接続線Ｗ１１上における回線接続端子２１の端子２１Ａと接点Ｎ５との間には、保護リレー４７が設けられている。ＣＰＵ３４は、ＣＩ検出信号の周波数が商用交流電源からの交流電圧の周波数またはその周波数の２倍の周波数、つまり１００Ｈｚまたは１２０Ｈｚであると判断した場合、保護リレー４７をオフにする。これにより、サージ保護素子４６を高電圧による過電流から保護することができ、過電流によるサージ保護素子４６の破壊を抑制することができる。
【００６９】
ＣＰＵ３４は、保護リレー４７をオフにした後、操作部１５の操作によるエラー解除を受け付けたことに応じて、保護リレー４７をオンにする。そして、ＣＰＵ３４は、保護リレー４７をオンにした後、ＣＩ検出信号の周波数が１００Ｈｚまたは１２０Ｈｚである状態が継続している場合、保護リレー４７を再びオフにする。操作部１５でエラー解除の操作が行われても、混触が解消されていない場合に、保護リレー４７がオフにされることにより、サージ保護素子４６を高電圧による過電流から保護することができ、過電流によるサージ保護素子４６の破壊を抑制することができる。
【００７０】
＜変形例＞
以上、本発明の一実施形態について説明したが、本発明は、他の形態で実施することもできる。
【００７１】
たとえば、前述の実施形態では、図２に示されるように、ＦＡＸ通信部１３の構成として、ＤＡＡが備えられるＤＡＡタイプを取り上げたが、ＦＡＸ通信部１３の構成は、図８に示されるＮＣＵタイプであってもよい。ＮＣＵタイプの構成では、一対の第１接続線Ｗ１１，Ｗ１２と回線トランス６１を介して２線−４線変換回路６２が接続され、２線−４線変換回路６２がモデム６３に接続されている。２線−４線変換回路６２は、回線トランス６１を介して接続される一対の第１接続線Ｗ１１，Ｗ１２である２本の線を送信用の２本の線と受信用の２本の線との４本の線に変換する回路である。また、ＮＣＵタイプの構成では、直流捕捉回路４１に代えて、第１接続線Ｗ１１における接点Ｎ３と回線トランス６１との間に回線リレー６４が設けられ、この回線リレー６４の開閉により、一対の第１接続線Ｗ１１，Ｗ１２の開放及び閉結が切り替えられる。
【００７２】
その他、前述の構成には、特許請求の範囲に記載された事項の範囲で種々の設計変更を施すことが可能である。
【符号の説明】
【００７３】
１：ＭＦＰ
１３：ＦＡＸ通信部
１４：表示部
１５：操作部
２１，２１Ａ，２１Ｂ：回線接続端子
２２：電話回線
３４：ＣＰＵ
４１：直流捕捉回路
４５：ＣＩ検出回路
４６：サージ保護素子
４７：保護リレー
Ｎ３，Ｎ４：接点
Ｗ１１，Ｗ１２：第１接続線
Ｗ２１，Ｗ２２：第２接続線
【図１】
2020109891.tif 000003
【図２】
2020109891.tif 000004
【図３】
2020109891.tif 000005
【図４Ａ】
2020109891.tif 000006
【図４Ｂ】
2020109891.tif 000007
【図４Ｃ】
2020109891.tif 000008
【図５】
2020109891.tif 000009
【図６】
2020109891.tif 000010
【図７】
2020109891.tif 000011
【図８】
2020109891.tif 000012